(57)【要約】【課題】第１の課題は、電源ラインの総距離をなるべく短くできるようにすることであり、第２の課題は、電源用配線体で生じた熱を外部に放熱し易くすることである。【解決手段】第１の課題を実現するための配線モジュールは、一端が電源に電気的に接続される共通電源ラインと、共通電源ラインの途中に設けられた電源分岐部とを備え、電源分岐部は、共通電源ラインの途中で分岐する電源分岐ラインと、電源分岐ラインに設けられて許容電流を越える電流が流れたときに非導通状態となる過電流遮断部とを少なくとも１組以上備えるものである。第２の課題を実現するための配線モジュールは、固定対象部材に沿って配設される配線モジュールであって、固定対象部材の表面に沿って配設される電源用偏平配線体と、電源用偏平配線体に対して固定対象部材とは反対側の表面に沿って配設されるアース用偏平配線体とを備える。【選択図】図１
2020096524.tif 000002
【特許請求の範囲】
【請求項１】
一端が電源に電気的に接続される共通電源ラインと、
前記共通電源ラインの途中に設けられた電源分岐部と、
を備え、
前記電源分岐部は、前記共通電源ラインの途中で分岐する電源分岐ラインと、前記電源分岐ラインに設けられて許容電流を越える電流が流れたときに非導通状態となる過電流遮断部とを少なくとも１組以上備える、配線モジュール。
【請求項２】
請求項１に記載の配線モジュールであって、
前記過電流遮断部は、半導体スイッチを含む、配線モジュール。
【請求項３】
請求項１又は請求項２に記載の配線モジュールであって、
前記共通電源ラインは、前記電源分岐部で分割された複数の配線体を含み、
前記複数の配線体の断面積が、前記電源から遠ざかるのに従って、順次小さい、配線モジュール。
【請求項４】
請求項１から請求項３のいずれか１項に記載の配線モジュールであって、
前記電源分岐部に電子制御部が組込まれている、配線モジュール。
【請求項５】
請求項１から請求項４のいずれか１項に記載の配線モジュールであって、
前記共通電源ラインの少なくとも一部及び前記電源分岐部の少なくとも一部がリンフォース内に収容された状態で、前記共通電源ラインが前記リンフォースに沿って配設されている、配線モジュール。
【請求項６】
請求項５に記載の配線モジュールであって、
前記共通電源ラインは、前記リンフォースの表面に沿って配設される偏平配線体を含む、配線モジュール。
【請求項７】
請求項１から請求項６のいずれか１項に記載の配線モジュールであって、
前記電源分岐部は、前記電源分岐ラインを負荷に接続するためのコネクタを含む、配線モジュール。
【請求項８】
固定対象部材に沿って配設される配線モジュールであって、
固定対象部材の表面に沿って配設される電源用偏平配線体と、
電源用偏平配線体に対して前記固定対象部材とは反対側の表面に沿って配設されるアース用偏平配線体と、
を備える配線モジュール。
【請求項９】
請求項８に記載の配線モジュールであって、
複数の信号線が並列状態となるように保たれ、前記電源用偏平配線体に対して前記固定対象部材とは反対側に設けられたフラット配線体をさらに備える配線モジュール。
【請求項１０】
請求項８又は請求項９に記載の配線モジュールであって、
前記電源用偏平配線体は、固定対象部材としてのリンフォースに沿って配設される、配線モジュール。
【請求項１１】
請求項１０に記載の配線モジュールであって、
前記電源用偏平配線体及び前記アース用偏平配線体が、リンフォース内に配設される、配線モジュール。
【請求項１２】
請求項１１に記載の配線モジュールであって、
前記電源用偏平配線体及び前記アース用偏平配線体が、底部の両側部に一対の側壁部が立設されたリンフォースに対して、前記電源用偏平配線体を前記底部の内向きの表面に接触させた状態で、リンフォース内に配設されている、配線モジュール。
【発明の詳細な説明】
【技術分野】
【０００１】
この発明は、電源線を含む配線モジュールに関する。
【背景技術】
【０００２】
特許文献１に開示の車載用電源装置は、主電池と負荷との間で直列に接続される複数のヒューズを備える。複数のヒューズは、ヒューズボックスに格納された形態で車両に搭載される。
【０００３】
特許文献２は、リンフォースに沿ってインパネハーネスを取付けることが開示されている。
【先行技術文献】
【特許文献】
【０００４】
【特許文献１】特開２０１７−０５２４７３号公報
【特許文献２】特開２００３−１１８５０６号公報
【発明の概要】
【発明が解決しようとする課題】
【０００５】
しかしながら、特許文献１に開示の技術によると、複数のヒューズとそれらに対応する複数の負荷を、電源線によって別々に接続することになる。このため、複数の電源線を長距離に亘って車両に配線する必要が生じる。
【０００６】
また、特許文献２に開示の技術によると、インパネハーネスが電源線を含む場合を想定すると、電源線で生じた熱を外部に放熱し難いという問題がある。
【０００７】
そこで、本発明の第１の課題は、電源ラインの総距離をなるべく短くできるようにすることである。第２の課題は、電源用配線体で生じた熱を外部に放熱し易くすることである。
【課題を解決するための手段】
【０００８】
第１の課題を実現するため、第１の態様に係る配線モジュールは、一端が電源に電気的に接続される共通電源ラインと、前記共通電源ラインの途中に設けられた電源分岐部と、を備え、前記電源分岐部は、前記共通電源ラインの途中で分岐する電源分岐ラインと、前記電源分岐ラインに設けられて許容電流を越える電流が流れたときに非導通状態となる過電流遮断部とを少なくとも１組以上備える。
【０００９】
第２の態様は、第１の態様に係る配線モジュールであって、前記過電流遮断部は、半導体スイッチを含む。
【００１０】
第３の態様は、第１又は第２の態様に係る配線モジュールであって、前記共通電源ラインは、前記電源分岐部で分割された複数の配線体を含み、前記複数の配線体の断面積が、前記電源から遠ざかるのに従って、順次小さいものである。
【００１１】
第４の態様は、第１から第３のいずれか１つの態様に係る配線モジュールであって、前記電源分岐部に電子制御部が組込まれているものである。
【００１２】
第５の態様は、第１から第４のいずれか１つの態様に係る配線モジュールであって、前記共通電源ラインの少なくとも一部及び前記電源分岐部の少なくとも一部がリンフォース内に収容された状態で、前記共通電源ラインが前記リンフォースに沿って配設されているものである。
【００１３】
第６の態様は、第５の態様に係る配線モジュールであって、前記共通電源ラインは、前記リンフォースの表面に沿って配設される偏平配線体を含むものである。
【００１４】
第７の態様は、第１から第６のいずれか１つの態様に係る配線モジュールであって、前記電源分岐部は、前記電源分岐ラインを負荷に接続するためのコネクタを含むものである。
【００１５】
第２の課題を実現するため、第８の態様は、固定対象部材に沿って配設される配線モジュールであって、固定対象部材の表面に沿って配設される電源用偏平配線体と、前記電源用偏平配線体に対して固定対象部材とは反対側の表面に沿って配設されるアース用偏平配線体とを備える。
【００１６】
第９の態様は、第８の態様に係る配線モジュールであって、複数の信号線が並列状態となるように保たれ、前記電源用偏平配線体に対して前記固定対象部材とは反対側に設けられたフラット配線体をさらに備えるものである。
【００１７】
第１０の態様は、第８又は第９の態様に係る配線モジュールであって、前記電源用偏平配線体は、固定対象部材としてのリンフォースに沿って配設されるものである。
【００１８】
第１１の態様は、第１０の態様に係る配線モジュールであって、前記電源用偏平配線体及び前記アース用偏平配線体が、リンフォース内に配設されるものである。
【００１９】
第１２の態様は、第１１の態様に係る配線モジュールであって、前記電源用偏平配線体及び前記アース用偏平配線体が、底部の両側部に一対の側壁部が立設されたリンフォースに対して、前記電源用偏平配線体を前記底部の内向きの表面に接触させた状態で、リンフォース内に配設されているものである。
【発明の効果】
【００２０】
第１から第７の態様によると、共通電源ラインの途中に電源分岐部が設けられている。電源から電源分岐部に至る部分は、共通電源ラインによって電源供給がなされ、そこから電源から遠い部分でも、共通電源ラインによって電源が供給なされる。そして、電源分岐部において、共通電源ラインから過電流遮断部及び電源分岐ラインを介して各負荷に電源供給される。このため、共通電源ラインを介して電源を供給し、各負荷の近くで共通電源ラインを電源分岐部により分岐させて電源供給することが可能となり、電源ラインの総距離をなるべく短くできる。これにより、第１の課題を実現できる。
【００２１】
第２の態様によると、過電流遮断部は、半導体スイッチを含むため、許容電流を越える電流が流れたときに非導通状態となったとしても、復帰が容易であり、メンテナンスが容易となる。
【００２２】
第３の態様によると、複数の配線体の断面積が、電源から遠ざかるのに従って、順次小さいため、軽量化及び低コスト化が可能となる。
【００２３】
第４の態様によると、電源分岐部に対して、電子制御機能を統合することができる。
【００２４】
第５の態様によると、配線モジュールをなるべくコンパクトな形態でリンフォースに沿って配設することができる。
【００２５】
第６の態様によると、共通電源ラインは、リンフォースの表面に沿って配設される偏平配線体を含むため、偏平配線体で生じた熱がリンフォースを伝って放熱され易い。
【００２６】
第７の態様によると、電源分岐部を、コネクタを介して負荷に容易に接続することができる。
【００２７】
第８から第１２の態様によると、電源用偏平配線体が比較的大きい面積で固定対象部材に接触する。このため、電源用偏平配線体で生じた熱が固定対象部材に伝達され易くなり、電源用偏平配線体で生じた熱を、固定対象部材を介して外部に放熱し易くでき、第２の課題を実現できる。
【００２８】
第９の態様によると、複数の信号線を、フラット配線体の形態で、電源用偏平配線体に沿わせてコンパクトな形態で配設することができる。
【００２９】
第１０の態様によると、電源用偏平配線体で生じた熱を、リンフォースを介して外部に放熱し易くできる。
【００３０】
第１１の態様によると、電源用偏平配線体及びアース用偏平配線体を、リンフォース内空間を有効に利用しつつ配設することができ、かつ、リンフォースを介して外部に放熱し易くできる。
【００３１】
第１２の態様によると、電源用偏平配線体及びアース用偏平配線体をリンフォース内に容易に組込むことができる。
【図面の簡単な説明】
【００３２】
【図１】第１実施形態に係る配線モジュールを示すブロック図である。
【図２】比較例を示すブロック図である。
【図３】第２実施形態に係る配線モジュールを示す概略図である。
【図４】同上の配線モジュールの概略断面図である。
【図５】第３実施形態に係る配線モジュールを車両に組込んだ状態を示す説明図である。
【図６】リンフォースに組込まれた配線モジュールを示す概略斜視図である。
【図７】配線モジュールをリンフォースに組込む前の状態を示す概略斜視図である。
【図８】図６のＶＩＩ−ＶＩＩ線における概略断面図である。
【図９】配線モジュールの一例に係る回路図である。
【図１０】中間分岐ボックスの一構成例を示す分解斜視図である。
【図１１】中間分岐ボックスの内部構造例を示す説明図である。
【図１２】第１変形例を示す概略図である。
【図１３】図１２におけるＸＩＩＩ−ＸＩＩＩ線断面部分をリンフォース内に収容した状態を示す断面図である。
【図１４】図１２におけるＸＩＶ−ＸＩＶ線断面部分をリンフォース内に収容した状態を示す断面図である。
【図１５】リンフォースに対して配線モジュールを固定する第２変形例を示す図である。
【図１６】リンフォースに対して配線モジュールを固定する第３変形例を示す図である。
【図１７】リンフォースに対して配線モジュールを固定する第４変形例を示す図である。
【図１８】リンフォースに対して配線モジュールを固定する第５変形例を示す図である。
【発明を実施するための形態】
【００３３】
｛第１実施形態｝
以下、第１実施形態に係る配線モジュールについて説明する。図１は第１実施形態に係る配線モジュール１０を示すブロック図である。
【００３４】
この配線モジュール１０は、共通電源ライン２０と、電源分岐部３０Ａ、３０Ｂとを備える。配線モジュール１０は、車両等に搭載され、当該車両に搭載された電源１２から、車両に搭載された負荷１６に電力を供給する配線である。電源１２は、車両に搭載されるバッテリ等である。負荷１６は、車両に搭載される電子制御ユニット（ＥＣＵ）、モータ、ランプ、センサ等である。
【００３５】
共通電源ライン２０は、一端が電源１２に電気的に接続された配線である。共通電源ライン２０は、例えば、配線用金属板、電線、基板に形成されたプリント回路等の一般的な配線部材、又は、これらの複数の組合せ等によって構成される。配線用金属板は、銅、銅合金、アルミニウム、アルミニウム合金等の金属板によって形成された帯状の部材として構成される。好ましくは、配線用金属板は、樹脂等の絶縁被覆によって覆われる。電線は、銅、銅合金、アルミニウム、アルミニウム合金等で形成された芯線の周囲に樹脂等の絶縁被覆を形成した部材である。基板に形成されたプリント回路は、樹脂等の絶縁基板の主面に銅等の金属箔によって形成された回路である。これらの組合せによって共通電源ライン２０を形成する場合、各部材間が端子を介して、又は、半田付、溶接等を介して接続される。
【００３６】
複数の電源分岐部３０Ａ、３０Ｂは、共通電源ライン２０の途中に設けられている。ここでは、共通電源ライン２０の途中において、電源１２から遠ざかる順に、電源分岐部３０Ａ、電源分岐部３０Ｂがこの順で設けられている。また、共通電源ライン２０において、電源１２から最も遠い箇所に、末端電源中継部４０が設けられている。
【００３７】
電源分岐部３０Ａは、電源分岐ライン３２Ａ１、３２Ａ２と、過電流遮断部３４Ａ１、３４Ａ２とを少なくとも１組以上、ここでは、２組備える。
【００３８】
電源分岐ライン３２Ａ１は、共通電源ライン２０の途中で分岐している。電源分岐ライン３２Ａ１は、配線用金属板、電線、基板に形成されたプリント回路等の一般的な配線部材、又は、これらの複数の組合せ等によって構成される。電源分岐ライン３２Ａ１は、直接或いは他の配線部材等を介して、負荷１６に接続されている。
【００３９】
過電流遮断部３４Ａ１は、電源分岐ライン３２Ａ１に設けられて、当該電源分岐ライン３２Ａ１に許容電流を流れる電流が流れたときに非導通状態となるように構成されている。過電流遮断部３４Ａ１としては、電源分岐ライン３２Ａ１に流れる電流を監視する電流監視回路、電源分岐ライン３２Ａ１に介挿された半導体スイッチ及び電流監視回路の検出結果に基づいて半導体スイッチのオンオフ制御を行う電子制御ユニット等を備えた構成を採用することができる。この場合、通常状態では、半導体スイッチはオン状態（導通状態）となっており、電流監視回路による検出結果、電源分岐ライン３２Ａ１に流れる電流が予め設定された許容電流を越えると、半導体スイッチがオフ状態に切替えられ、半導体スイッチが非導通状態となる。半導体スイッチに代えて、リレーが用いられてもよい。また、過電流遮断部３４Ａ１として、一般的なヒューズが用いられてもよい。
【００４０】
電源分岐ライン３２Ａ２は、上記電源分岐ライン３２Ａ１と同じ箇所で、共通電源ライン２０の途中から分岐している。電源分岐ライン３２Ａ２は、電源分岐ライン３２Ａ１と同様構成であり、これに設けられる過電流遮断部３４Ａ２は、上記過電流遮断部３４Ａ１と同様構成である。
【００４１】
電源分岐部３０Ｂは、上記電源分岐部３０Ａよりも電源１２から遠い箇所で、共通電源ライン２０の途中に設けられている。
【００４２】
電源分岐部３０Ｂは、電源分岐ライン３２Ｂと、過電流遮断部３４Ｂとを少なくとも１組以上、ここでは、１組備える。電源分岐ライン３２Ｂは、電源分岐ライン３２Ａ１と同様構成であり、これに設けられる過電流遮断部３４Ｂは、上記過電流遮断部３４Ａ１と同様構成である。
【００４３】
もちろん、電源分岐部は１つであってもよく、３つ以上設けられていてもよい。
【００４４】
末端電源中継部４０は、各電源分岐部３０Ａ、３０Ｂに対して電源１２から最も遠い箇所で、共通電源ライン２０に接続されている。
【００４５】
末端電源中継部４０は、末端電源ライン４２と、過電流遮断部４４とを少なくとも１組以上、ここでは、１組備える。末端電源ライン４２は、共通電源ライン２０の末端に接続されており、これに設けられる過電流遮断部４４は、上記過電流遮断部３４Ａ１と同様構成である。
【００４６】
この配線モジュール１０によると、共通電源ライン２０の途中に電源分岐部３０Ａ、３０Ｂが設けられている。電源１２から電源分岐部３０Ａに至る部分は、共通電源ライン２０によって電源供給がなされる。ここでは、電源１２と当該電源１２に最も近い電源分岐部３０Ａに至る部分は共通電源ライン２０によって電源が供給される。また、電源分岐部３０Ａ、３０Ｂの間でも、共通電源ライン２０によって電源が供給される。そして、各電源分岐部３０Ａ、３０Ｂにおいて、共通電源ライン２０から電源分岐ライン３２Ａ１、３２Ａ２，３２Ｂ及び過電流遮断部３４Ａ１、３４Ａ２、３４Ｂを介して各負荷１６に電源供給される。このため、共通電源ライン２０を介して電源を供給し、各負荷１６の近くで共通電源ライン２０を電源分岐部３０Ａ、３０Ｂにより分岐さえて電源供給することが可能となり、電源ラインの総距離をなるべく短くすることができる。
【００４７】
なお、図２は、比較例として電源１２の近くに過電流遮断部８００を設け、当該過電流遮断部８００から各負荷１６に向かう別々の電源ライン８２０を設けた場合を示している。この場合、過電流遮断部８００から各負荷１６に向かう各電源ライン８２０が過電流遮断部８００の近くの部分において共通する経路８２１、８２２、８２３、８２４を通るとしても、別々の配線部材を用いる必要がある。このため、各電源ライン８２０の総距離は長くなってしまう。
【００４８】
これに対して、上記実施形態では、電源１２と電源分岐部３０Ａとの間では、各負荷１６に至る電源ラインを共通電源ライン２０とすることができる。また、電源分岐部３０Ａと電源分岐部３０Ｂとの間においても、底から先の負荷１６に至る電源ラインを共通電源ライン２０とすることができる。このため、電源ラインの総距離をなるべく短くすることができる。
【００４９】
また、各負荷１６に至る電源ラインを共通電源ライン２０として１つにまとめることができる結果、配線材数の削減、断面積の削減が可能となり、電源用の配線を全体として細くすることができる。
【００５０】
また、過電流遮断部３４Ａ１、３４Ａ２、３４Ｂとして、半導体スイッチを含む構成が採用されることで、許容電流を越える電流が流れて非導通状態となっても、その後、導通状態への復帰が容易となる。このため、過電流遮断部としてヒューズを用いた場合と比較して、ヒューズの交換作業等が不要となり、メンテナンスが容易となる。
【００５１】
｛第２実施形態｝
第２実施形態に係る配線モジュールについて説明する。図３は第２実施形態に係る配線モジュール１１０を示す概略図であり、図４は同配線モジュール１１０の概略断面図である。
【００５２】
配線モジュール１１０は、固定対象部材１９０の表面に沿って配設されるものである。配線モジュール１１０は、電源用偏平配線体１５０と、アース用偏平配線体１６０とを備える。
【００５３】
電源用偏平配線体１５０は、固定対象部材１９０の表面に沿って配設される。より具体的には、電源用偏平配線体１５０は、電源用偏平導体１５１と、被覆部１５２とを備える。電源用偏平導体１５１は、銅、銅合金、アルミニウム、アルミニウム合金等で形成された金属製の帯状部材である。ここでは、電源用偏平導体１５１は、真っ直ぐ延在しているが、途中で幅方向又は厚み方向に曲がっていてもよい。被覆部１５２は、樹脂等によって形成された絶縁部材であり、電源用偏平導体１５１の周囲を覆っている。
【００５４】
アース用偏平配線体１６０は、電源用偏平配線体１５０に対して固定対象部材１９０とは反対側の表面に沿って配設されるものである。より具体的には、アース用偏平配線体１６０は、アース用偏平導体１６１と、被覆部１６２とを備える。アース用偏平導体１６１は、銅、銅合金、アルミニウム、アルミニウム合金等で形成された金属製の帯状部材である。ここでは、アース用偏平導体１６１は、電源用偏平導体１５１と同じ幅寸法及び同じ厚み寸法に形成されており、電源用偏平導体１５１と同じ断面積を有している。もっとも、アース用偏平導体１６１の幅寸法及び厚み寸法は、電源用偏平導体１５１の幅寸法及び厚み寸法と異なっていてもよい。被覆部１６２は、樹脂等によって形成された絶縁部材であり、アース用偏平配線体１６０の周囲を覆っている。上記被覆部１５２及び被覆部１６２の少なくとも一方が省略されていてもよい。被覆部１５２及び被覆部１６２の両方が省略される場合、例えば、それらの間に樹脂等の絶縁性板材を介在させ、電源用偏平導体１５１とアース用偏平導体１６１との間を絶縁すればよい。
【００５５】
電源用偏平配線体１５０とアース用偏平配線体１６０とは、それらの延在方向を揃えて積層した状態に組み合わされる。組み合わせ状態は、粘着テープ、接着剤等によって維持される構成であってもよいし、樋状のケースに収容されて維持される構成であってもよい。
【００５６】
固定対象部材１９０に対する配線モジュール１１０の固定は、粘着テープ、接着剤等によってなされてもよいし、固定対象部材１９０に嵌込構造又はネジ止構造等で取付けられた固定用の部材が配線モジュール１１０を固定対象部材１９０に押え付ける構成によってなされてもよい。
【００５７】
第２実施形態に係る配線モジュール１１０によると、電源用偏平配線体１５０が比較的大きい面積で固定対象部材１９０に接触する。このため、電源用偏平配線体１５０で生じた熱が固定対象部材１９０に伝達され易くなる。このため、電源用偏平配線体１５０で生じた熱を、固定対象部材１９０を介して外部に放熱し易くできる。特に、固定対象部材１９０としては、車両の金属ボディ、後述するリンフォース等、車両内において比較的大きく広がる部材であることが想定されるため、電源用偏平配線体１５０で生じた熱を、比較的表面積の固定対象部材１９０で効果的に放熱することができる。
【００５８】
｛第３実施形態｝
第３実施形態に係る配線モジュール２１０について説明する。図５は配線モジュール２１０を車両２９０に組込んだ状態を示す説明図である。
【００５９】
例えば、車両２９０におけるエンジンルーム２９１にバッテリ等の電源１２が組込まれている。エンジンルーム２９１にエンジン制御等を行うＥＣＵ２１４（電磁制御ユニット）が設けられている。エンジンルーム２９１内において、丸端子等のアース端子を用いた接地箇所が設けられている。これらの電源１２、ＥＣＵ２１４及び設置箇所は、エンジンルーム２９１以外の箇所である場合もある。
【００６０】
電源１２に接続された電源線２１１ａ、アース接地されたアース線２１１ｂ、ＥＣＵ２１４等に接続された信号線２１１ｃがリンフォース２９２に向けて引回されている。リンフォース２９２は、インストルメントパネルの内側等に設けられる補強メンバであり、車幅方向に沿って延在する長尺形状に形成されている。電源線２１１ａ、アース線２１１ｂ及び信号線２１１ｃは、リンフォース２９２の一端部に向けて引回されている。
【００６１】
配線モジュール２１０は、上記リンフォース２９２に沿って配設される配線部材である。配線モジュール２１０は、電源線２１１ａ、アース線２１１ｂ及び信号線２１１ｃを、リンフォース２９２に沿って存在する各負荷１６に接続する配線部材である。図５に示す例では、リンフォース２９２の両端部に負荷１６が設けられると共に、リンフォース２９２の延在方向中間部に少なくとも１つ（ここでは２つ）の負荷１６が設けられた例を示している。電源線２１１ａ、アース線２１１ｂ及び信号線２１１ｃは、電源側分岐ボックス２４０で分岐して負荷１６に接続され、中間分岐ボックス２５０で分岐して負荷１６に接続され、末端ボックス２７０を経由して負荷１６に接続される。
【００６２】
上記電源線２１１ａ、アース線２１１ｂ及び信号線２１１ｃは、リンフォース２９２の一端部で、配線モジュール２１０の各配線に接続される。配線モジュール２１０の各配線は、電源線２１１ａ、アース線２１１ｂ又は信号線２１１ｃから一体的に連続するものであってもよい。あるいは、配線モジュール２１０の各配線は、電源線２１１ａ、アース線２１１ｂ又は信号線２１１ｃに対してコネクタ等を介して接続されてもよい。
【００６３】
図６はリンフォース２９２に組込まれた配線モジュール２１０を示す概略斜視図であり、図７は配線モジュール２１０をリンフォース２９２に組込む前の状態を示す概略斜視図であり、図８は図６のＶＩＩ−ＶＩＩ線における概略断面図である。
【００６４】
配線モジュール２１０は、リンフォース２９２に組込まれる。
【００６５】
ここで、リンフォース２９２は、金属等で形成された部材であり、長尺形状に形成されている。リンフォース２９２の両端部は、車両における金属簿ティに溶接、ネジ止等で固定される。
【００６６】
リンフォース２９２は、底部２９３と、一対の側壁部２９４とを含む。
【００６７】
底部２９３は、長尺板状に形成されている。ここでは、底部２９３は、外板部２９３ａと内板部２９３ｂとを含み、外板部２９３ａと内板部２９３ｂとの間に隙間が形成された二重構造とされている。底部は１枚の細長板によって構成されていてもよい。
【００６８】
一対の側壁部２９４は、長尺板形状に形成されており、底部２９３の両側部から底部２９３の一方主面側に立設されている。このため、底部２９３と一対の側壁部２９４との間に配線モジュール２１０を収容可能な長尺形状の空間が形成される。
【００６９】
配線モジュール２１０は、配線部２２０と、少なくとも１つの中間分岐ボックス２５０とを備える。図６及び図７に示す例では、電源側分岐ボックス２４０及び１つの中間分岐ボックス２５０が示されている。
【００７０】
配線部２２０は、電源側分岐ボックス２４０と少なくとも１つの中間分岐ボックス２５０と末端ボックス２７０とを接続する配線用の部材である。
【００７１】
配線部２２０は、固定対象部材であるリンフォース２９２に沿って配設されるものであり、電源用偏平配線体２２２と、アース用偏平配線体２２４と、信号用配線体２２６とを備える。
【００７２】
電源用偏平配線体２２２は、リンフォース２９２の表面に沿って配設される。ここでは、電源用偏平配線体２２２は、上記第２実施形態で説明した電源用偏平配線体１５０と同様に、電源用偏平導体２２２ａと、電源用偏平導体２２２ａの周囲に形成された被覆部２２２ｂとを備える。電源用偏平配線体２２２は、その一方主面を底部２９３の内板部２９３ｂの内向き面に接触させた状態で、リンフォース２９２内に配設されている。
【００７３】
アース用偏平配線体２２４は、第２実施形態で説明したアース用偏平配線体１６０と同様に、アース用偏平導体２２４ａと、アース用偏平導体２２４ａの周囲に形成された被覆部２２４ｂとを備える。アース用偏平配線体２２４は、電源用偏平配線体２２２に対して上記底部２９３とは反対側の表面に沿った状態で当該電源用偏平配線体２２２に積層された状態で、リンフォース２９２内に配設されている。
【００７４】
このため、電源用偏平配線体２２２及びアース用偏平配線体２２４がリンフォース２９２内の空間を利用した形態で、比較的コンパクトな形態で当該リンフォース２９２内に収容されている。また、電源用偏平配線体２２２で熱が生じると、当該熱は、当該電源用偏平配線体２２２に面接触するリンフォース２９２の底部２９３に効率よく伝達され、リンフォース２９２の表面全体から外部に放熱される。
【００７５】
信号用配線体２２６は、複数の信号線２２６ａが並列状態となるように保たれたフラット配線体である。より具体的には、信号用配線体２２６としては、信号線２２６ａとして被覆電線を用い、複数の信号線２２６ａを並列させた状態で、一対の樹脂フィルムで挟込んだ構成を採用することができる。一対の樹脂フィルムの挟込み状態は、粘着剤によって保たれてもよいし、超音波溶着等の溶着によって保たれてもよい。信号用配線体２２６としては、その他、間隔をあけて並列状態に配設された複数の裸芯線を一対の樹脂フィルムで挟込んだもの、樹脂基材の一方主面上に銅箔等の金属箔によって並列状態の信号線を形成したもの、間隔をあけて並列状態で送られる裸芯線の周囲に、軟化した樹脂を押出被覆して被覆部を形成したもの等を採用することができる。
【００７６】
信号用配線体２２６は、電源用偏平配線体２２２に対してリンフォース２９２とは反対側に設けられている。ここでは、アース用偏平配線体２２４に対して電源用偏平配線体２２２の反対側の表面に沿って配設された状態で、電源用偏平配線体２２２及びアース用偏平配線体２２４に積層されている。この状態で、信号用配線体２２６もリンフォース２９２内に収容されている。
【００７７】
電源用偏平配線体２２２、アース用偏平配線体２２４及び信号用配線体２２６は、上記各電源側分岐ボックス２４０、中間分岐ボックス２５０及び末端ボックス２７０において、分岐されて各負荷１６に接続される。中間分岐ボックス２５０において、電源用偏平配線体２２２、アース用偏平配線体２２４及び信号用配線体２２６は、分断されていてもよいし、連続していてもよい。ここでは、後述するように、電源用偏平配線体２２２、アース用偏平配線体２２４及び信号用配線体２２６は、中間分岐ボックス２５０において分断されており、当該中間分岐ボックス２５０内に形成された回路を通じて、分断された相互間で電気的に接続されている。信号用配線体２２６は、中間分岐ボックス２５０において分断されずに連続している。
【００７８】
図９は配線モジュール２１０の一例に係る回路図である。図９では１つの中間分岐ボックス２５０に着目した内容を示しており、電源側分岐ボックス２４０等は省略されている。
【００７９】
同図に示すように、配線モジュール２１０は、共通電源ライン２１１、共通アースライン２１２、複数の信号ライン２１３を含む。電源側分岐ボックス２４０には、コネクタ２４２が設けられており、共通電源ライン２１１、共通アースライン２１２、複数の信号ライン２１３は、当該コネクタ２４２及びコネクタ２４２に接続されたワイヤーハーネス等を通じて車両の他の部位に設けられた電源１２、ＥＣＵ２１４、アース設置箇所に接続されている。
【００８０】
中間分岐ボックス２５０において、共通電源ライン２１１の途中に電源分岐ライン２５１が当該共通電源ライン２１１から分岐するように接続されている。ここでは、電源分岐ライン２５１が２つ示されているが、１つ、又は、３つ以上設けられていてもよい。
【００８１】
電源分岐ライン２５１には、過電流遮断部２５３が設けられている。ここでは、過電流遮断部２５３は、半導体スイッチである。過電流遮断部２５３は、リレー、ヒューズ等であってもよい。また、電源分岐ライン２５１には、電流監視部２５４が設けられている。電流監視部２５４としては、電源分岐ライン２５１を流れる電流を監視する周知の構成を採用することができる。電流監視部２５４によって検出された電流検出信号は、中間分岐ボックス２５０に組込まれたＥＣＵ２５５に与えられる。通常状態では、過電流遮断部２５３は導通状態となっており、電源分岐ライン２５１に負荷１６を駆動するための電流が流れている。ＥＣＵ２５５は、電流監視部２５４からの検出結果に基づき、電源分岐ライン２５１に流れる電流が予め設定された許容電流を越えると判断したときに、過電流遮断部２５３を非導通状態に切替える。これにより、電源分岐ライン２５１が遮断され、電源分岐ライン２５１に過電流が流れることが抑制される。過電流を流す異常状態等が解消されると、ＥＣＵ２５５の制御下、過電流遮断部２５３が導通状態に復帰し、負荷１６に対する電源供給が可能な状態となる。この際、中間分岐ボックス２５０自体には、ヒューズの交換作業等のメンテナンス作業は不要である。複数の電源分岐ライン２５１が設けられる場合、複数の電源分岐ライン２５１のそれぞれに対して、上記過電流遮断部２５３及び電流監視部２５４が設けられる。
【００８２】
中間分岐ボックス２５０において、共通アースライン２１２の途中にアース分岐ライン２５６が当該共通アースライン２１２から分岐するように接続されている。ここでは、アース分岐ライン２５６が２つ示されているが、１つ、又は、３つ以上設けられていてもよい。
【００８３】
上記電源分岐ライン２５１及びアース分岐ライン２５６は、中間分岐ボックス２５０に設けられたコネクタ２５７に設けられたコネクタ端子に接続されている。負荷１６から引出されたワイヤーハーネスの端部に設けられたコネクタがコネクタ２５７に接続されることで、負荷１６に対する電源供給ながされる。コネクタ２５７は、各負荷１６に設けられてもよいし、各負荷１６に対して共通するものとして設けられてもよい。後者の場合であっても、共通するコネクタ２５７に接続された複数の電線を、当該ワイヤーハーネスの途中で分岐させて、別々に負荷１６に接続することができる。図１では１つのコネクタ２５７が図示されているが、複数のコネクタが設けられてもよい。図６、図７等では、２つのコネクタ２５７が設けられた場合が図示されている。
【００８４】
複数の信号ライン２１３の一部は、中間分岐ボックス２５０内においてＥＣＵ２５５に接続され、他の一部はＧＷＥＣＵ２５８（ゲートウエイＥＣＵ）に接続され、他の一部は、負荷１６に接続され、残りは中間分岐ボックス２５０を通過して他の中間分岐ボックス２５０、末端ボックス２７０、負荷１６等に接続される。なお、負荷１６に接続された信号ライン２１３が中間分岐ボックス２５０に導かれ、新たな信号配線として組込まれることもあり得る。
【００８５】
ＥＣＵ２５５は、上記過電流遮断部２５３のオンオフ制御、負荷１６の制御等を行う電子制御ユニットであり、中間分岐ボックス２５０内に組込まれている。ＥＣＵ２５５は、他の配線、コネクタ２５７等を通じて負荷１６にも接続されることがある。
【００８６】
ＧＷＥＣＵ２５８（ゲートウエイＥＣＵ）は、車両内通信におけるプロトコル変換等を行う通信制御ユニットであり、中間分岐ボックス２５０内に組込まれている。信号ライン２１３の一部が当該ＧＷＥＣＵ２５８に接続され、ＧＷＥＣＵ２５８は、他の配線、コネクタ２５７等を通じて負荷１６に接続されている。
【００８７】
複数の信号ライン２１３の一部は、そのままコネクタ２５７の端子に接続されて、負荷１６と接続されることもあり得る。
【００８８】
上記ＥＣＵ２５５及びＧＷＥＣＵ２５８は省略されてもよい。
【００８９】
なお、電源側分岐ボックス２４０については、電源１２、ＥＣＵ２１４及びアース設置箇所と接続するためのコネクタ等を備える他、上記中間分岐ボックス２５０と同様構成とすることができる。また、末端ボックス２７０についても、下流側への電源ライン、アースライン、信号ラインを省略する他は、上記中間分岐ボックス２５０と同様構成とすることができる。
【００９０】
図１０は中間分岐ボックス２５０の一構成例を示す分解斜視図であり、図１１は中間分岐ボックス２５０の内部構造例を示す説明図である。
【００９１】
中間分岐ボックス２５０は、ケース２６１と、第１基板２６２と、第２基板２６３とを備える。
【００９２】
ケース２６１は、樹脂等で形成された筺状に形成されている。ここでは、ケース２６１は、収容本体部２６１ａと、蓋部２６１ｂとを備える。
【００９３】
収容本体部２６１ａには、コネクタを外部に露出させるためのコネクタ用開口２６１ａ１が形成されている。また、収容本体部２６１ａの底部は開口しており、当該外側の開口が蓋部２６１ｂによって閉じられる。また、収容本体部２６１ａの延在方向両端部の一部に開口２６１ａ２が形成されている。配線部２２０が当該開口２６１ａ２を通ってケース２６１内に導かれる。
【００９４】
第１基板２６２及び第２基板２６３は、樹脂等の絶縁部材で形成された基板上に、銅箔等の金属箔、又は、銅等の金属板で形成されたバスバにより所定の配線回路が形成された構成とされている。また、第１基板２６２及び第２基板２６３には、上記過電流遮断部２５３を構成する半導体スイッチ、電流監視部２５４、ＥＣＵ２５５、ＧＷＥＣＵ２５８等を構成する各種実装部品等が実装されている。
【００９５】
第１基板２６２には、コネクタ２５７が実装されている。コネクタ２５７のコネクタ端子は、第１基板２６２に形成された回路に対して半田付、圧入構造等によって電気的及び機械的に接続されている。また、第１基板２６２と第２基板２６３とは、それらの間に介在するように中継コネクタ２５９が設けられている。中継コネクタ２５９に組込まれた中継端子が、第１基板２６２及び第２基板２６３に形成された回路に対して半田付又は圧入構造等によって電気的及び機械的に接続されている。
【００９６】
第１基板２６２及び第２基板２６３に形成された配線回路は、図９に示す電気回路において、中間分岐ボックス２５０における電源ライン、アースライン、信号ラインを形成している。
【００９７】
電源用偏平配線体２２２は、本中間分岐ボックス２５０において電源１２側のものと、電源１２よりも遠いものとに分断されている。
【００９８】
電源用偏平配線体２２２の端部において、被覆部２２２ｂが部分的に剥離されている。ここでは、電源用偏平配線体２２２の端部において、一側に近い部分の被覆部２２２ｂが剥離されており、ここに、電源用偏平導体２２２ａが露出している。露出する電源用偏平導体２２２ａの一方主面に電源中継端子２２２Ｔが接続されており、当該電源中継端子２２２Ｔが電源用偏平配線体２２２の一方主面側から突出している。ここでは、電源中継端子２２２Ｔは、銅等の金属板により形成されたＬ字状の部材に形成されている。電源中継端子２２２Ｔの一端部が電源用偏平導体２２２ａの一方主面に半田付等で接続されている。電源中継端子２２２Ｔの他端部には、複数の突起部が形成されている。そして、２つの電源用偏平配線体２２２の端部を対向配置した状態で、その上側に第２基板２６３が配設され、電源中継端子２２２Ｔの他端部の各突起部が第２基板２６３の形成されたスルーホールに挿入されて、第２基板２６３に半田付されている。これにより、２つの電源用偏平配線体２２２の電源用偏平導体２２２ａが電源中継端子２２２Ｔを介して第２基板２６３又は第１基板２６２に形成された電源分岐ライン２５１に電気的に接続される。なお、両電源用偏平導体２２２ａは、第２基板２６３又は第１基板２６２に形成された電源中継用の回路を介して接続されている。中間分岐ボックスの両側に設けられる偏平導体が直接繋がっていてもよい。
【００９９】
アース用偏平配線体２２４は、本中間分岐ボックス２５０において電源１２側のものと、電源１２よりも遠いものとに分断されている。
【０１００】
アース用偏平配線体２２４の端部において、被覆部２２４ｂが部分的に剥離されている。ここでは、アース用偏平配線体２２４の端部において、一側に近い部分の被覆部２２４ｂが剥離されており、ここに、アース用偏平導体２２４ａが露出している。露出するアース用偏平導体２２４ａの一方主面にアース中継端子２２４Ｔが接続されており、当該アース中継端子２２４Ｔがアース用偏平配線体２２４の一方主面側から突出している。ここでは、アース中継端子２２４Ｔは、銅等の金属板により形成されたＬ字状の部材に形成されている。アース中継端子２２４Ｔの一端部がアース用偏平導体２２４ａの一方主面に半田付等で接続されている。アース中継端子２２４Ｔの他端部には、複数の突起部が形成されている。そして、２つのアース用偏平配線体２２４の端部を対向配置した状態で、その上側に第２基板２６３が配設される。なお、２つのアース用偏平配線体２２４の端部の間には、上記電源中継端子２２２Ｔが通過する分の間隔が空いている。アース中継端子２２４Ｔの他端部の各突起部が第２基板２６３の形成されたスルーホールに挿入されて、第２基板２６３に半田付されている。これにより、２つのアース用偏平配線体２２４のアース用偏平導体２２４ａがアース中継端子２２４Ｔを介して第２基板２６３又は第１基板２６２に形成されたアース分岐ライン２５６に電気的に接続される。なお、両アース用偏平導体２２４ａは、第２基板２６３又は第１基板２６２に形成されたアース中継用の回路を介して接続されている。もちろん、中間分岐ボックスの両側に設けられる偏平導体が直接繋がっていてもよい。
【０１０１】
信号用配線体２２６は、中間分岐ボックス２５０の両側で繋がるフラット配線体である。信号用配線体２２６の延在方向中間部で部分的な凹部２２６ｒが形成されている。ここでは、信号用配線体２２６の延在方向中間部で一側部が方形状に除去されることで、方形状の凹部２２６ｒが形成されている。上記電源中継端子２２２Ｔ及びアース中継端子２２４Ｔは、凹部２２６ｒが形成を通って第２基板２６３に向っている。
【０１０２】
信号用配線体２２６には、信号中継コネクタ２２７が設けられている。信号中継コネクタ２２７は、樹脂等で形成されたハウジングに信号中継端子２２７Ｔを組込んだものである。信号中継端子２２７Ｔは、信号中継コネクタ２２７の一端側（下側）で信号用配線体２２６の複数の信号線２２６ａのうちの少なくとも１つの芯線に半田付又は圧接構造等によって電気的及び機械的に接続されている。ここでは、信号用配線体２２６のうち凹部２２６ｒの両側で、信号線２２６ａが信号中継端子２２７Ｔに接続されている。また、信号中継端子２２７Ｔは、信号中継コネクタ２２７の他端側（上側）で当該信号中継コネクタ２２７より突出しており、上記第２基板２６３の回路に対して半田付、圧入構造等によって電気的、機械的に接続される。
【０１０３】
信号線２２６ａのうち凹部２２６ｒで分断されるものについては、当該信号中継端子２２７Ｔを通じて第２基板２６３又は第２基板２６３側に引き出すことができる。信号線２２６ａのうち凹部２２６ｒで分断されないものについては、そのまま信号用配線体２２６の凹部の側方を経由することができる。もっとも、信号用配線体２２６が中間分岐ボックス２５０で分断され、分断された信号線同士が信号中継コネクタ、第１基板又は第２基板を経由して接続される構成であってもよい。
【０１０４】
中間分岐ボックス２５０においては、第１基板２６２及び第２基板２６３が中継コネクタ２５９を介して間隔をあけて複数層に積層された形態で、ケース２６１の上側空間内に、で収容される。この際、第１基板２６２のコネクタ２５７は、コネクタ用開口２６１ａ１を通じて外部に露出している。このため、負荷１６側のコネクタを当該コネクタ２５７に接続することができる。なお、第１基板２６２及び第２基板２６３は、必要に応じて、ネジ止、嵌込構造、接着剤等によって、ケース２６１内に固定される。
【０１０５】
また、電源用偏平配線体２２２、アース用偏平配線体２２４及び信号用配線体２２６が、電源中継端子２２２Ｔ、アース中継端子２２４Ｔ及び信号中継コネクタ２２７を介して第２基板２６３と一体化された形態で、ケース２６１の下側空間内に収容される。電源用偏平配線体２２２、アース用偏平配線体２２４及び信号用配線体２２６は、ケース２６１の両側の開口２６１ａ２を通じて外部に引出される。
【０１０６】
この状態で、蓋部２６１ｂがケース２６１の下側開口を閉じるように当該ケース２６１に取付けられる。なお、蓋部２６１ｂは、必要に応じて、ネジ止、嵌込構造、接着剤等によってケース２６１に固定される。
【０１０７】
なお、電源側分岐ボックス２４０及び末端ボックス２７０についても、上記中間分岐ボックス２５０から延出する配線部２２０の方向を一方向とすれば、上記中間分岐ボックス２５０と同様の構成とすることができる。
【０１０８】
この配線モジュール２１０は、上記配線部２２０をリンフォース２９２の底部２９３の内向き面に沿って配設された状態で、当該配線部２２０の少なくとも一部及び中間分岐ボックス２５０の少なくとも一部がリンフォース２９２内に収容される。ここでは、配線部２２０の全体がリンフォース２９２内に収容され、中間分岐ボックス２５０のうちケース２６１から突出するコネクタ２５７部分を除く部分がリンフォース２９２内に収容されている。リンフォース２９２に対する配線モジュール２１０の固定は、両面テープ、ネジ止等によって行うことができる。
【０１０９】
このように構成された配線モジュール２１０によると、共通電源ライン２１１の途中に、電源分岐ライン２５１と過電流遮断部２５３とを含む電源分岐部が設けられている。このため、電源１２から電源分岐部に至る部分は、共通電源ライン２１１の一部である電源用偏平配線体２２２によって電源供給がなされ、そこから電源１２から遠い部分でも、共通電源ライン２１１の一部である電源用偏平配線体２２２によって電源が供給される。そして、電源分岐部において、過電流遮断部２５３及び電源分岐ライン２５１を介して負荷１６に電源供給される。このため、共通電源ライン２１１を介して電源を供給し、各負荷１６の近くで共通電源ライン２１１を電源分岐部により分岐させて電源供給することが可能となり、電源ラインの総距離をなるべく短くできる。
【０１１０】
これにより、第１実施形態でも説明したように、電源用偏平配線体２２２の断面積の削減が可能となる。
【０１１１】
また、過電流遮断部２５３として、半導体スイッチを含む構成が採用されることで、許容電流を越える電流が流れて非導通状態となっても、その後、導通状態への復帰が容易となる。このため、過電流遮断部としてヒューズを用いた場合と比較して、ヒューズの交換作業等が不要となり、メンテナンスが容易となる。また、半導体スイッチを用いることによって、過電流遮断部２５３の小型化、ひいては、中間分岐ボックス２５０のコンパクト化が可能となる。
【０１１２】
また、中間分岐ボックス２５０にＥＣＵ２５５、ＧＷＥＣＵ２５８等の電子制御部が組込まれているため、配線モジュール２１０、接続先となる負荷１６等に対して必要とされる電子制御機能を、中間分岐ボックス２５０の機能又はそれに接続される負荷に対して必要とされる機能毎に分割して、中間分岐ボックス２５０に電子制御機能統合することが可能となる。これにより、通信用配線のレイアウト制限の緩和となり、また、各機器間の通信距離を短くすることによる通信性能の向上等が可能となる。また、上記ＥＣＵ２５５に、過電流遮断部２５３をオンオフ制御する機能と、接続先となる負荷１６を制御する機能とを持たせることで、電子制御機能の統合が可能となり、省電力化及び低燃費化に貢献する。
【０１１３】
また、共通電源ライン２１１を構成する電源用偏平配線体２２２の少なくとも一部、及び、電源分岐部を含む中間分岐ボックス２５０の少なくとも一部がリンフォース２９２内に収容された状態で、電源用偏平配線体２２２がリンフォース２９２に沿って配設されているため、配線モジュール２１０をなるべくコンパクトな形態でリンフォース２９２に沿って配設することができる。
【０１１４】
また、配線モジュール２１０は、固定対象部材であるリンフォース２９２に沿って配設される電源用偏平配線体２２２を含むため、電源用偏平配線体２２２が比較的大きい面積でリンフォース２９２に接触する。このため、電源用偏平配線体２２２で生じた熱がリンフォース２９２に伝達され易くなり、電源用偏平配線体２２２で生じた熱を、リンフォース２９２を介して外部に放熱し易くすることができる。
【０１１５】
また、電源用偏平配線体２２２は偏平であるため、電源用偏平配線体２２２の設置スペースをなるべく小さくすることができる。また、アース用偏平配線体２２４も偏平であるため、アース用偏平配線体２２４の設置スペースもなるべく小さくすることができる。さらに、信号用配線体２２６も偏平であるため、フラット配線体の形態で、電源用偏平配線体２２２等に沿わせてコンパクトな形態で配設することができる。
【０１１６】
また、電源用偏平配線体２２２、ここでは、アース用偏平配線体２２４、さらに、信号用配線体２２６をリンフォース２９２内に配設しているため、リンフォース２９２内空間を有効に利用しつつ、それらを配設することができる。
【０１１７】
また、リンフォース２９２は、底部２９３の両側部に一対の側壁部２９４が立設された構成であるため、電源用偏平配線体２２２、ここで、アース用偏平配線体２２４、さらに、信号用配線体２２６をリンフォース２９２内に容易に組込むことができる。リンフォース２９２内におけるスペースを有効利用するためには、電源用偏平配線体２２２の幅寸法が一対の側壁部２９４間の寸法と一致していることが好ましいが、これは必須ではない。アース用偏平配線体２２４及び信号用配線体２２６についても、同様に、一対の側壁部２９４間の寸法と一致する幅寸法に形成されていることが好ましいが、これも必須ではない。
【０１１８】
また、電源分岐部は、電源分岐ライン２５１を負荷に接続するためのコネクタ２５７を含むため、電源分岐部を、コネクタ２５７を介して負荷１６に容易に接続することができる。
【０１１９】
｛変形例｝
上記実施形態を前提として、変形例について説明する。
【０１２０】
図１２は第３実施形態を前提とする第１変形例を示す概略図である。図１３は図１２におけるＸＩＩＩ−ＸＩＩＩ線断面部分をリンフォース２９２内に収容した状態を示す断面図であり、図１４は図１２におけるＸＩＶ−ＸＩＶ線断面部分をリンフォース２９２内に収容した状態を示す断面図である。図１３及び図１４では、信号用配線体２２６が省略されている。
【０１２１】
この配線モジュール３１０が第３実施形態の配線モジュール２１０と異なるのは次の点である。すなわち、配線モジュール３１０は、電源分岐部を含む中間分岐ボックス３５０で分割された複数の配線体として、複数の電源用偏平配線体３２２Ａ、３２２Ｂを含む。電源用偏平配線体３２２Ａは、電源側に近い電源用配線であり、電源用偏平配線体３２２Ｂは、電源用偏平配線体３２２Ａよりも電源から遠い電源用配線である。
【０１２２】
複数の電源用偏平配線体３２２Ａ、３２２Ｂの断面積は、電源から遠ざかるのに従って順次小さい。ここでは、電源用偏平配線体３２２Ａの導体３２２Ａａ厚み寸法が、電源用偏平配線体３２２Ｂの導体３２２Ｂａの厚み寸法よりも大きく、電源用偏平配線体３２２Ａの導体３２２Ａａの幅寸法及び電源用偏平配線体３２２Ｂの導体３２２Ｂａの幅寸法は同じに設定されている。
【０１２３】
複数の電源用偏平配線体３２２Ａ、３２２Ｂを含む共通電源ラインは、中間分岐ボックス２５０において負荷１６に分岐して接続されるため、複数の電源用偏平配線体３２２Ｂの導体３２２Ｂａを流れる電流は、電源用偏平配線体３２２Ａの導体３２２Ａａを流れる電流よりも小さくなる。そこで、電源に近い電源用偏平配線体３２２Ａの導体３２２Ａａについては断面積を比較的大きくする一方で、電源から遠い電源用偏平配線体３２２Ｂの導体３２２Ｂａについては断面積を比較的小さくすることが可能となる。
【０１２４】
これにより、配線モジュール２１０全体として、導体を構成する金属等の使用量の削減が可能となり、軽量化及び低コスト化が可能となる。
【０１２５】
また、上記第３実施形態では、二重構造の底部２９３及び一対の側壁部２９４を有するリンフォース２９２に配線モジュール２１０を組込む例で説明したが、必ずしもその必要は無い。
【０１２６】
例えば、図１５に示す第２変形例のように、一重構造の底部４０１及び一対の側壁部４０２を含む断面Ｕ字状のリンフォース４００に配線モジュール２１０、特に、電源用偏平配線体２２２及びアース用偏平配線体２２４が組込まれてもよい。
【０１２７】
また、図１６に示す第３変形例のように、リンフォース４１０の外面に配線モジュール２１０、特に、電源用偏平配線体２２２及びアース用偏平配線体２２４が組込まれてもよい。図１６に示す例では、角筒状に形成されたリンフォース４１０の１つの外面に、電源用偏平配線体２２２及びアース用偏平配線体２２４が組込まれている。
【０１２８】
また、図１７に示す第４変形例又は図１８に示す第５変形例のように、円筒状に形成されたリンフォース４２０、４３０に、配線モジュール２１０、特に、電源用偏平配線体２２２及びアース用偏平配線体２２４が組込まれてもよい。
【０１２９】
図１７に示す第４変形例では、円筒状に形成されたリンフォース４２０の内周面に、配線モジュール５１０、特に、電源用偏平配線体５２２及びアース用偏平配線体５２４が組込まれている。本例では、電源用偏平配線体５２２をリンフォース４２０の内周面に対してなるべく大きい接触面積で接触させるため、電源用偏平配線体５２２は、その延在方向に対して直交する断面視において弧状に湾曲する形状に形成されている。電源用偏平配線体５２２の外周側の曲率半径は、リンフォース４２０の内周面の曲率半径と一致している。ここでは、アース用偏平配線体５２４についても、同様に弧状に湾曲する断面形状としている。
【０１３０】
図１７に示す第５変形例では、リンフォース４２０内に電源用偏平配線体５２２及びアース用偏平配線体５２４を容易に配設できるようにするため、リンフォース４２０がその軸方向に沿って２分割された構造とされている。２分割構造とされたリンフォース４２０は、配線モジュール５１０を配設した後に、溶接、ネジ止等によって合体状態に保つとよい。
【０１３１】
もっとも、リンフォース４２０が２分割構造とされていることは必須ではなく、リンフォース４２０の端部開口から電源用偏平配線体５２２及びアース用偏平配線体５２４を通すように配設してもよい。
【０１３２】
本変形例において、外部接続されるコネクタ（第３実施形態におけるコネクタ２５７参照）を設ける場合、リンフォース４２０の延在方向における部分的な位置に、当該コネクタを外部に露出させる開口を形成するとよい。
【０１３３】
図１８に示す例では、円筒状に形成されたリンフォース４３０の外周面に、配線モジュール６１０、特に、電源用偏平配線体６２２及びアース用偏平配線体６２４が組込まれている。本例では、電源用偏平配線体６２２をリンフォース４３０の外周面に対してなるべく大きい接触面積で接触させるため、電源用偏平配線体６２２は、その延在方向に対して直交する断面視において弧状に湾曲する形状に形成されている。電源用偏平配線体６２２の外周側の曲率半径は、リンフォース４３０の外周面の曲率半径と一致している。ここでは、アース用偏平配線体６２４についても、同様に弧状に湾曲する断面形状としている。
【０１３４】
上記実施形態及び各変形例では、電源用偏平配線体、アース用偏平配線体及び信号用配線体がそれぞれ１層である例で説明したが、そのうちの少なくとも１つが複数層であってもよい。例えば、異なる電圧の電源が存在する場合には、各電圧に応じて異なる電源用偏平配線体が設けられてもよい。この場合、少なくとも１つの電源用偏平配線体が固定対象部材に面接触していればよい。
【０１３５】
なお、上記各実施形態及び各変形例で説明した各構成は、相互に矛盾しない限り適宜組合わせることができる。
【０１３６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１３７】
１０、１１０、２１０、３１０、５１０、６１０  配線モジュール
１２  電源
１６  負荷
２０、２１１  共通電源ライン
３０Ａ、３０Ｂ  電源分岐部
３２Ａ１、３２Ａ２、３２Ｂ、２５１  電源分岐ライン
３４Ａ１、３４Ａ２、３４Ｂ、２５３  過電流遮断部
１５０、２２２、３２２Ａ、５２２、６２２  電源用偏平配線体
１５１、２２２ａ、３２２Ａａ  電源用偏平導体
１５２、２２２ｂ  被覆部
１６０、２２４、３２２Ｂ、５２４、６２４  アース用偏平配線体
１６１、２２４ａ、３２２Ｂａ  アース用偏平導体
１６２、２２４ｂ  被覆部
１９０  固定対象部材
２１２  共通アースライン
２１３  信号ライン
２２０  配線部
２２６  信号用配線体
２２６ａ  信号線
２５０、３５０  中間分岐ボックス
２５４  電流監視部
２５５  ＥＣＵ
２５６  アース分岐ライン
２５７  コネクタ
２５８  ＧＷＥＣＵ
２９２、４００、４１０、４２０、４３０  リンフォース
２９３、４０１  底部
２９４、４０２  側壁部
【図１】
2020096524.tif 000003
【図２】
2020096524.tif 000004
【図３】
2020096524.tif 000005
【図４】
2020096524.tif 000006
【図５】
2020096524.tif 000007
【図６】
2020096524.tif 000008
【図７】
2020096524.tif 000009
【図８】
2020096524.tif 000010
【図９】
2020096524.tif 000011
【図１０】
2020096524.tif 000012
【図１１】
2020096524.tif 000013
【図１２】
2020096524.tif 000014
【図１３】
2020096524.tif 000015
【図１４】
2020096524.tif 000016
【図１５】
2020096524.tif 000017
【図１６】
2020096524.tif 000018
【図１７】
2020096524.tif 000019
【図１８】
2020096524.tif 000020
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
一端が電源に電気的に接続される共通電源ラインと、
前記共通電源ラインの途中に設けられた電源分岐部と、
を備え、
前記電源分岐部は、前記共通電源ラインの途中で分岐する電源分岐ラインと、前記電源分岐ラインに設けられて許容電流を越える電流が流れたときに非導通状態となる過電流遮断部とを少なくとも１組以上備え、
前記共通電源ラインの少なくとも一部及び前記電源分岐部の少なくとも一部がリンフォース内に収容された状態で、前記共通電源ラインが前記リンフォースに沿って配設され、
前記共通電源ラインは、前記リンフォースの表面に沿って配設される偏平配線体を含む、配線モジュール。
【請求項２】
請求項１に記載の配線モジュールであって、
前記過電流遮断部は、半導体スイッチを含む、配線モジュール。
【請求項３】
請求項１又は請求項２に記載の配線モジュールであって、
前記共通電源ラインは、前記電源分岐部で分割された複数の配線体を含み、
前記複数の配線体の断面積が、前記電源から遠ざかるのに従って、順次小さい、配線モジュール。
【請求項４】
請求項１から請求項３のいずれか１項に記載の配線モジュールであって、
前記電源分岐部に電子制御部が組込まれている、配線モジュール。
【請求項５】
請求項１から請求項４のいずれか１項に記載の配線モジュールであって、
前記電源分岐部は、前記電源分岐ラインを負荷に接続するためのコネクタを含む、配線モジュール。
【請求項６】
固定対象部材に沿って配設される配線モジュールであって、
前記固定対象部材の表面に沿って配設される電源用偏平配線体と、
前記電源用偏平配線体に対して前記固定対象部材とは反対側の表面に沿って配設されるアース用偏平配線体と、
を備え、
前記配線モジュールが前記固定対象部材として円筒状に形成されたリンフォースに組込まれ、
前記電源用偏平配線体が弧状に湾曲して前記リンフォースの内周面又は外周面に面で接した状態となっている、配線モジュール。
【請求項７】
請求項６に記載の配線モジュールであって、
複数の信号線が並列状態となるように保たれ、前記電源用偏平配線体に対して前記固定対象部材とは反対側に設けられたフラット配線体をさらに備える配線モジュール。
【請求項８】
請求項６又は請求項７に記載の配線モジュールであって、
前記電源用偏平配線体及び前記アース用偏平配線体が、リンフォース内に配設される、配線モジュール。
【請求項９】
固定対象部材に沿って配設される配線モジュールであって、
前記固定対象部材の表面に沿って配設される電源用偏平配線体と、
前記電源用偏平配線体に対して前記固定対象部材とは反対側の表面に沿って配設されるアース用偏平配線体と、
を備え、
前記電源用偏平配線体は、前記固定対象部材としてのリンフォースに沿って配設され、
前記電源用偏平配線体及び前記アース用偏平配線体が、リンフォース内に配設され、
前記電源用偏平配線体及び前記アース用偏平配線体が、底部の両側部に一対の側壁部が立設されたリンフォースに対して、前記電源用偏平配線体を前記底部の内向きの表面に接触させた状態で、リンフォース内に配設されている、配線モジュール。
【手続補正２】
【補正対象書類名】明細書
【補正対象項目名】０００８
【補正方法】変更
【補正の内容】
【０００８】
第１の課題を実現するため、第１の態様に係る配線モジュールは、一端が電源に電気的に接続される共通電源ラインと、前記共通電源ラインの途中に設けられた電源分岐部と、を備え、前記電源分岐部は、前記共通電源ラインの途中で分岐する電源分岐ラインと、前記電源分岐ラインに設けられて許容電流を越える電流が流れたときに非導通状態となる過電流遮断部とを少なくとも１組以上備え、前記共通電源ラインの少なくとも一部及び前記電源分岐部の少なくとも一部がリンフォース内に収容された状態で、前記共通電源ラインが前記リンフォースに沿って配設され、前記共通電源ラインは、前記リンフォースの表面に沿って配設される偏平配線体を含む。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
第５の態様は、第１から第４のいずれか１つの態様に係る配線モジュールであって、前記電源分岐部は、前記電源分岐ラインを負荷に接続するためのコネクタを含むものである。
【手続補正６】
【補正対象書類名】明細書
【補正対象項目名】００１５
【補正方法】変更
【補正の内容】
【００１５】
第２の課題を実現するため、第６の態様は、固定対象部材に沿って配設される配線モジュールであって、固定対象部材の表面に沿って配設される電源用偏平配線体と、前記電源用偏平配線体に対して固定対象部材とは反対側の表面に沿って配設されるアース用偏平配線体とを備える。また、前記配線モジュールが前記固定対象部材として円筒状に形成されたリンフォースに組込まれ、前記電源用偏平配線体が弧状に湾曲して前記リンフォースの内周面又は外周面に面で接した状態となっている。
【手続補正７】
【補正対象書類名】明細書
【補正対象項目名】００１６
【補正方法】変更
【補正の内容】
【００１６】
第７の態様は、第６の態様に係る配線モジュールであって、複数の信号線が並列状態となるように保たれ、前記電源用偏平配線体に対して前記固定対象部材とは反対側に設けられたフラット配線体をさらに備えるものである。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
第８の態様は、第６又は第７の態様に係る配線モジュールであって、前記電源用偏平配線体及び前記アース用偏平配線体が、リンフォース内に配設されるものである。
【手続補正１０】
【補正対象書類名】明細書
【補正対象項目名】００１９
【補正方法】変更
【補正の内容】
【００１９】
第９の態様は、固定対象部材に沿って配設される配線モジュールであって、前記固定対象部材の表面に沿って配設される電源用偏平配線体と、前記電源用偏平配線体に対して前記固定対象部材とは反対側の表面に沿って配設されるアース用偏平配線体と、を備え、前記電源用偏平配線体は、前記固定対象部材としてのリンフォースに沿って配設され、前記電源用偏平配線体及び前記アース用偏平配線体が、リンフォース内に配設され、前記電源用偏平配線体及び前記アース用偏平配線体が、底部の両側部に一対の側壁部が立設されたリンフォースに対して、前記電源用偏平配線体を前記底部の内向きの表面に接触させた状態で、リンフォース内に配設されているものである。
【手続補正１１】
【補正対象書類名】明細書
【補正対象項目名】００２０
【補正方法】変更
【補正の内容】
【００２０】
第１から第５の態様によると、共通電源ラインの途中に電源分岐部が設けられている。電源から電源分岐部に至る部分は、共通電源ラインによって電源供給がなされ、そこから電源から遠い部分でも、共通電源ラインによって電源が供給なされる。そして、電源分岐部において、共通電源ラインから過電流遮断部及び電源分岐ラインを介して各負荷に電源供給される。このため、共通電源ラインを介して電源を供給し、各負荷の近くで共通電源ラインを電源分岐部により分岐させて電源供給することが可能となり、電源ラインの総距離をなるべく短くできる。これにより、第１の課題を実現できる。
【手続補正１２】
【補正対象書類名】明細書
【補正対象項目名】００２４
【補正方法】変更
【補正の内容】
【００２４】
第１の態様によると、配線モジュールをなるべくコンパクトな形態でリンフォースに沿って配設することができる。
【手続補正１３】
【補正対象書類名】明細書
【補正対象項目名】００２５
【補正方法】変更
【補正の内容】
【００２５】
第１の態様によると、共通電源ラインは、リンフォースの表面に沿って配設される偏平配線体を含むため、偏平配線体で生じた熱がリンフォースを伝って放熱され易い。
【手続補正１４】
【補正対象書類名】明細書
【補正対象項目名】００２６
【補正方法】変更
【補正の内容】
【００２６】
第５の態様によると、電源分岐部を、コネクタを介して負荷に容易に接続することができる。
【手続補正１５】
【補正対象書類名】明細書
【補正対象項目名】００２７
【補正方法】変更
【補正の内容】
【００２７】
第６から第９の態様によると、電源用偏平配線体が比較的大きい面積で固定対象部材に接触する。このため、電源用偏平配線体で生じた熱が固定対象部材に伝達され易くなり、電源用偏平配線体で生じた熱を、固定対象部材を介して外部に放熱し易くでき、第２の課題を実現できる。
【手続補正１６】
【補正対象書類名】明細書
【補正対象項目名】００２８
【補正方法】変更
【補正の内容】
【００２８】
第７の態様によると、複数の信号線を、フラット配線体の形態で、電源用偏平配線体に沿わせてコンパクトな形態で配設することができる。
【手続補正１７】
【補正対象書類名】明細書
【補正対象項目名】００２９
【補正方法】変更
【補正の内容】
【００２９】
第６の態様によると、電源用偏平配線体で生じた熱を、リンフォースを介して外部に放熱し易くできる。
【手続補正１８】
【補正対象書類名】明細書
【補正対象項目名】００３０
【補正方法】変更
【補正の内容】
【００３０】
第８の態様によると、電源用偏平配線体及びアース用偏平配線体を、リンフォース内空間を有効に利用しつつ配設することができ、かつ、リンフォースを介して外部に放熱し易くできる。
【手続補正１９】
【補正対象書類名】明細書
【補正対象項目名】００３１
【補正方法】変更
【補正の内容】
【００３１】
第９の態様によると、電源用偏平配線体及びアース用偏平配線体をリンフォース内に容易に組込むことができる。
【手続補正２０】
【補正対象書類名】明細書
【補正対象項目名】０１３６
【補正方法】変更
【補正の内容】
【０１３６】
本明細書は下記の開示を含む。
第１の態様に係る配線モジュールは、一端が電源に電気的に接続される共通電源ラインと、前記共通電源ラインの途中に設けられた電源分岐部と、を備え、前記電源分岐部は、前記共通電源ラインの途中で分岐する電源分岐ラインと、前記電源分岐ラインに設けられて許容電流を越える電流が流れたときに非導通状態となる過電流遮断部とを少なくとも１組以上備える。
第２の態様は、第１の態様に係る配線モジュールであって、前記過電流遮断部は、半導体スイッチを含む。
第３の態様は、第１又は第２の態様に係る配線モジュールであって、前記共通電源ラインは、前記電源分岐部で分割された複数の配線体を含み、前記複数の配線体の断面積が、前記電源から遠ざかるのに従って、順次小さいものである。
第４の態様は、第１から第３のいずれか１つの態様に係る配線モジュールであって、前記電源分岐部に電子制御部が組込まれているものである。
第５の態様は、第１から第４のいずれか１つの態様に係る配線モジュールであって、前記共通電源ラインの少なくとも一部及び前記電源分岐部の少なくとも一部がリンフォース内に収容された状態で、前記共通電源ラインが前記リンフォースに沿って配設されているものである。
第６の態様は、第５の態様に係る配線モジュールであって、前記共通電源ラインは、前記リンフォースの表面に沿って配設される偏平配線体を含むものである。
第７の態様は、第１から第６のいずれか１つの態様に係る配線モジュールであって、前記電源分岐部は、前記電源分岐ラインを負荷に接続するためのコネクタを含むものである。
第２の課題を実現するため、第８の態様は、固定対象部材に沿って配設される配線モジュールであって、固定対象部材の表面に沿って配設される電源用偏平配線体と、前記電源用偏平配線体に対して固定対象部材とは反対側の表面に沿って配設されるアース用偏平配線体とを備える。
第９の態様は、第８の態様に係る配線モジュールであって、複数の信号線が並列状態となるように保たれ、前記電源用偏平配線体に対して前記固定対象部材とは反対側に設けられたフラット配線体をさらに備えるものである。
第１０の態様は、第８又は第９の態様に係る配線モジュールであって、前記電源用偏平配線体は、固定対象部材としてのリンフォースに沿って配設されるものである。
第１１の態様は、第１０の態様に係る配線モジュールであって、前記電源用偏平配線体及び前記アース用偏平配線体が、リンフォース内に配設されるものである。
第１２の態様は、第１１の態様に係る配線モジュールであって、前記電源用偏平配線体及び前記アース用偏平配線体が、底部の両側部に一対の側壁部が立設されたリンフォースに対して、前記電源用偏平配線体を前記底部の内向きの表面に接触させた状態で、リンフォース内に配設されているものである。
第１から第７の態様によると、共通電源ラインの途中に電源分岐部が設けられている。電源から電源分岐部に至る部分は、共通電源ラインによって電源供給がなされ、そこから電源から遠い部分でも、共通電源ラインによって電源が供給なされる。そして、電源分岐部において、共通電源ラインから過電流遮断部及び電源分岐ラインを介して各負荷に電源供給される。このため、共通電源ラインを介して電源を供給し、各負荷の近くで共通電源ラインを電源分岐部により分岐させて電源供給することが可能となり、電源ラインの総距離をなるべく短くできる。
第２の態様によると、過電流遮断部は、半導体スイッチを含むため、許容電流を越える電流が流れたときに非導通状態となったとしても、復帰が容易であり、メンテナンスが容易となる。
第３の態様によると、複数の配線体の断面積が、電源から遠ざかるのに従って、順次小さいため、軽量化及び低コスト化が可能となる。
第４の態様によると、電源分岐部に対して、電子制御機能を統合することができる。
第５の態様によると、配線モジュールをなるべくコンパクトな形態でリンフォースに沿って配設することができる。
第６の態様によると、共通電源ラインは、リンフォースの表面に沿って配設される偏平配線体を含むため、偏平配線体で生じた熱がリンフォースを伝って放熱され易い。
第７の態様によると、電源分岐部を、コネクタを介して負荷に容易に接続することができる。
第８から第１２の態様によると、電源用偏平配線体が比較的大きい面積で固定対象部材に接触する。このため、電源用偏平配線体で生じた熱が固定対象部材に伝達され易くなり、電源用偏平配線体で生じた熱を、固定対象部材を介して外部に放熱し易くできる。
第９の態様によると、複数の信号線を、フラット配線体の形態で、電源用偏平配線体に沿わせてコンパクトな形態で配設することができる。
第１０の態様によると、電源用偏平配線体で生じた熱を、リンフォースを介して外部に放熱し易くできる。
第１１の態様によると、電源用偏平配線体及びアース用偏平配線体を、リンフォース内空間を有効に利用しつつ配設することができ、かつ、リンフォースを介して外部に放熱し易くできる。
第１２の態様によると、電源用偏平配線体及びアース用偏平配線体をリンフォース内に容易に組込むことができる。
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。